(57)【特許請求の範囲】
【請求項１】
２つの躯体間の間隙を覆うエキスパンションジョイントカバー装置であって、
前記間隙を覆うジョイントカバーと、
一方の躯体側に取り付けられて、前記ジョイントカバーを前記間隙の幅方向に移動可能に支持するＸ方向摺動支持手段と、
他方の躯体側に取り付けられて、前記ジョイントカバーを前記間隙の長手方向に移動可能に支持するＹ方向摺動支持手段と、
を備え、
前記ジョイントカバーは、前記一方の躯体の床面よりも低い位置に形成された平坦面に載置されるとともに、２つの躯体が接近するように変位したときに前記平坦面に連続する傾斜面および床面の上面に沿って乗り上げるように構成されており、
前記Ｙ方向摺動支持手段は、前記ジョイントカバーに係合する抜け止め部を備えた受レール部と、前記ジョイントカバーの端面に対向する滑動支持部と、を備え、
前記滑動支持部は、前記間隙の幅方向に対して垂直な滑動面を備えるとともに、前記間隙の長手方向に延在しており、
前記Ｘ方向摺動支持手段は、前記ジョイントカバーの側面に対向するスライド支持部を備え、
前記スライド支持部は、前記平坦面から前記床面の途中までの範囲に延設される板状部材であって、前記スライド支持部の下端縁は、前記平坦面と前記傾斜面と前記床面との上面に沿うように設けられており、
前記スライド支持部の表面、又は、前記スライド支持部に対向する前記ジョイントカバーの側面に、樹脂製の板状の滑動部材を取り付けたことを特徴とする、エキスパンションジョイントカバー装置。
【請求項２】
前記ジョイントカバーは、前記間隙の長手方向に間隔を設けて固定された複数の補強材を備えることを特徴とする、請求項１記載のエキスパンションジョイントカバー装置。
【請求項３】
前記滑動面、又は、前記滑動面に対向する前記ジョイントカバーの端面に、樹脂製の滑動部材を取り付けたことを特徴とする、請求項１又は２記載のエキスパンションジョイントカバー装置。
【発明の詳細な説明】
【技術分野】
【０００１】
この発明は、躯体間の隙間部を覆うエキスパンションジョイントカバー装置に関する。
【背景技術】
【０００２】
この種の装置として、例えば特許文献１には、レール部材を構成する導入縁部の所定高さ位置に、スライダーを係止縁部側に案内する案内傾斜面部を設けるとともに、係止縁部の上端に、前記案内傾斜面部に対応する高さ位置で前記導入縁部側に向けて突出する抜け止め縁部を設ける一方、スライダーを構成する延成縁部の下端に連成されてレール部材の受縁部に支承される摺動縁部を、その支承状態で前記抜け止め縁部と上下で対向させるようにした構成が記載されている。この特許文献１記載の構成では、レール部材の受縁部上には、上面にフッ素樹脂コーティング等の滑性面を形成した薄板状の滑性部材が被着されており、該滑性部材の滑性作用によって、スライダーの摺動が容易となるようにしている。
【先行技術文献】
【特許文献】
【０００３】
【特許文献１】特許第５４１６６４８号公報
【発明の概要】
【発明が解決しようとする課題】
【０００４】
しかし、上記した特許文献１記載の構造では、高さ方向に摺動縁部が移動すると、ガタつきにより摺動縁部がレール部材に接触したり引掛ったりして欠損が生じたり摺動がスムーズにいかなかったりといった問題が生じる。
【０００５】
そこで、本発明は、ジョイントカバーが高さ方向に移動した場合でも、スムーズな摺動や部材の破損防止を実現でき、地震等による大きな変位にも対応可能なエキスパンションジョイントカバー装置を提供することを課題とする。
【課題を解決するための手段】
【０００６】
本発明は、上記した課題を解決するためになされたものであり、以下を特徴とする。
【０００７】
請求項１記載の発明は、２つの躯体間の間隙を覆うエキスパンションジョイントカバー装置であって、前記間隙を覆うジョイントカバーと、一方の躯体側に取り付けられて、前記ジョイントカバーを前記間隙の幅方向に移動可能に支持するＸ方向摺動支持手段と、他方の躯体側に取り付けられて、前記ジョイントカバーを前記間隙の長手方向に移動可能に支持するＹ方向摺動支持手段と、を備え、前記ジョイントカバーは、前記一方の躯体の床面よりも低い位置に形成された平坦面に載置されるとともに、２つの躯体が接近するように変位したときに前記平坦面に連続する傾斜面および床面の上面に沿って乗り上げるように構成されており、前記Ｙ方向摺動支持手段は、前記ジョイントカバーに係合する抜け止め部を備えた受レール部と、前記ジョイントカバーの端面に対向する滑動支持部と、を備え、前記滑動支持部は、前記間隙の幅方向に対して垂直な滑動面を備えるとともに、前記間隙の長手方向に延在しており、前記Ｘ方向摺動支持手段は、前記ジョイントカバーの側面に対向するスライド支持部を備え、前記スライド支持部は、前記平坦面から前記床面の途中までの範囲に延設される板状部材であって、前記スライド支持部の下端縁は、前記平坦面と前記傾斜面と前記床面との上面に沿うように設けられており、前記スライド支持部の表面、又は、前記スライド支持部に対向する前記ジョイントカバーの側面に、樹脂製の板状の滑動部材を取り付けたことを特徴とする。
【０００８】
請求項２に記載の発明は、上記した請求項１に記載の発明の特徴点に加え、前記ジョイントカバーは、前記間隙の長手方向に間隔を設けて固定された複数の補強材を備えることを特徴とする。
【０００９】
請求項３に記載の発明は、上記した請求項１又は２に記載の発明の特徴点に加え、前記滑動面、又は、前記滑動面に対向する前記ジョイントカバーの端面に、樹脂製の滑動部材を取り付けたことを特徴とする。
【００１０】
【００１１】
【発明の効果】
【００１２】
請求項１に記載の発明は上記の通りであり、一方の躯体側に取り付けられて、前記ジョイントカバーを前記間隙の幅方向に移動可能に支持するＸ方向摺動支持手段と、他方の躯体側に取り付けられて、前記ジョイントカバーを前記間隙の長手方向に移動可能に支持するＹ方向摺動支持手段と、を備えるので、間隙の幅方向のみならず、間隙の長手方向への変位にも対応することができる。よって、例えばジョイントカバーの両側に壁がある場合に、２つの躯体が相対的に間隙の長手方向へと変位した場合でも、ジョイントカバーが壁に当たることを防止でき、壁の破損を防止できる。
【００１３】
また、前記Ｙ方向摺動支持手段は、前記ジョイントカバーに係合する抜け止め部を備えた受レール部と、前記ジョイントカバーの端面に対向する滑動支持部と、を備え、前記滑動支持部は、前記間隙の幅方向に対して垂直な滑動面を備えるとともに、前記間隙の長手方向に延在している。このような構成によれば、２つの躯体が相対的に間隙の長手方向へと変位した場合でも、受レール部によってジョイントカバーの摺動をガイドすることができる。また、ジョイントカバーが高さ方向にガタついたとしても、ジョイントカバーの端面が必ず滑動面に対向するので、ジョイントカバーが滑動面の上を滑ってスムーズに摺動する。よって、ジョイントカバーの引っ掛かりが防止されてスムーズな摺動や部材の破損防止を実現でき、地震等による大きな変位にも対応することができる。
【００１４】
また、請求項２に記載の発明は上記の通りであり、前記ジョイントカバーは、前記間隙の長手方向に間隔を設けて固定された複数の補強材を備えるので、間隙の幅方向へジョイントカバーの強度が増す。
【００１５】
また、請求項３に記載の発明は上記の通りであり、前記滑動面、又は、前記滑動面に対向する前記ジョイントカバーの端面に、樹脂製の滑動部材を取り付けたので、摩擦係数の高い金属同士の接触を防止して滑りを良くするとともに、変位時の緩衝材として働き、よりスムーズにジョイントカバーを摺動させることができる。
【００１６】
また、請求項１に記載の発明は上記の通りであり、前記Ｘ方向摺動支持手段は、前記ジョイントカバーの側面に対向するスライド支持部を備え、前記スライド支持部は、前記平坦面から前記床面の途中までの範囲に延設される板状部材であって、前記スライド支持部の下端縁は、前記平坦面と前記傾斜面と前記床面との上面に沿うように設けられている。このような構成によれば、２つの躯体が相対的に間隙の幅方向へと変位した場合でも、ジョイントカバーの摺動を安定的にガイドすることができる。また、ジョイントカバーが高さ方向に移動した場合でも、ジョイントカバーの側面が必ずスライド支持部に対向するので、ジョイントカバーがスライド面の上を滑ってスムーズに摺動する。よって、ジョイントカバーの引っ掛かりが防止されてスムーズな摺動や部材の破損防止を実現でき、地震等による大きな変位にも対応することができる。
【００１７】
また、請求項１に記載の発明は上記の通りであり、前記スライド支持部、又は、前記スライド支持部に対向する前記ジョイントカバーの側面に、樹脂製の滑動部材を取り付けたので、摩擦係数の高い金属同士の接触を防止して滑りを良くするとともに、変位時の緩衝材として働き、よりスムーズにジョイントカバーを摺動させることができる。
【図面の簡単な説明】
【００１８】
【図１】エキスパンションジョイントカバー装置の側面図である。
【図２】エキスパンションジョイントカバー装置の平面図である。
【図３】ジョイントカバーを裏側から見た図である。
【図４】（ａ）Ｙ方向摺動支持手段付近の一部拡大図、（ｂ）Ｙ方向摺動支持手段付近の組み付け方法を示す一部拡大図である。
【図５】（ａ）Ａ−Ａ線端面図、（ｂ）Ｂ−Ｂ線端面図、（ｃ）Ｃ−Ｃ線端面図である。
【図６】間隙を狭める方向に２つの躯体が変位した状態の図である。
【図７】間隙を広げる方向に２つの躯体が変位した状態の図である。
【図８】躯体がＹ方向に変位した状態の図である。
【図９】躯体がＹ方向（図８の逆方向）に変位した状態の図である。
【図１０】変形例１に係るエキスパンションジョイントカバー装置の側面図である。
【図１１】変形例２に係るエキスパンションジョイントカバー装置の（ａ）側面図、（ｂ）Ｄ−Ｄ線端面図である。
【図１２】変形例３に係るエキスパンションジョイントカバー装置の側面図である。
【図１３】変形例３に係るエキスパンションジョイントカバー装置のＹ方向摺動支持手段付近の一部拡大図である。
【発明を実施するための形態】
【００１９】
本発明の実施形態について、図を参照しながら説明する。
【００２０】
本実施形態に係るエキスパンションジョイントカバー装置１０は、図１に示すような２つの躯体（一方の躯体４１及び他方の躯体４２）間に設けられる。一方の躯体４１と他方の躯体４２とは、互いに相対する壁面４１ａ，４２ａを備えており、この壁面４１ａ，４２ａの間に間隙５０が形成されている。エキスパンションジョイントカバー装置１０は、この間隙５０を覆うように設置される。本実施形態においては、図１に示すように、一方の躯体４１の床面４１ｅと他方の躯体４２の床面４２ｂとが互いに同じ高さに設定されており、この２つの床面４１ｅ，４２ｂの間にエキスパンションジョイントカバー装置１０が設けられている。
【００２１】
なお、一方の躯体４１の床面４１ｅの両側には、側壁部４１ｄが立ち上がっている。また、一方の躯体４１の床面４１ｅの間隙５０側には、傾斜面４１ｃが連続して設けられており、この傾斜面４１ｃの更に間隙５０側には、平坦面４１ｂが連続して設けられている。なお、傾斜面４１ｃは、間隙５０側が低くなるように傾斜している。また、平坦面４１ｂは、床面４１ｅよりもやや低い位置に水平面を形成している。
【００２２】
本実施形態に係るエキスパンションジョイントカバー装置１０は、図１及び図２に示すように、間隙５０を覆うジョイントカバー１１と、一方の躯体４１に取り付けられてジョイントカバー１１を間隙５０の幅方向（Ｘ方向）に移動可能に支持するＸ方向摺動支持手段２０と、他方の躯体４２に取り付けられてジョイントカバー１１を間隙５０の長手方向（Ｙ方向）に移動可能に支持するＹ方向摺動支持手段３０と、ジョイントカバー１１の下方に配置される止水シート３５と、を備える。
【００２３】
ジョイントカバー１１は、図３に示すような板状部材であり、２つの躯体間に架設される。このジョイントカバー１１をＸ方向に見たときに、先端面１１ａは一方の躯体４１側に臨み、後端面１１ｃは他方の躯体４２側に臨むようになっている。
【００２４】
このジョイントカバー１１の横幅は、一方の躯体４１の床面４１ｅの幅とほぼ等しく形成されている。言い換えると、このジョイントカバー１１の横幅は、一方の躯体４１に設けられた一対の側壁部４１ｄの間の距離とほぼ等しく形成されている。このため、ジョイントカバー１１が一方の躯体４１の床面４１ｅの上に配置されると、ジョイントカバー１１の両側に側壁部４１ｄが立ち上がった状態となる。なお、複数のジョイントカバー１１を間隙５０の幅方向に並設し、これらのジョイントカバー１１を合わせた横幅が一方の躯体４１の床面４１ｅの幅とほぼ等しくなるようにしてもよい。
【００２５】
このジョイントカバー１１は、カバー材１２と、仕上材１３と、先端部材１４と、補強材１５と、レール材１６と、後端見切材１７と、側部見切材１８と、を備える。
【００２６】
カバー材１２は、ジョイントカバー１１の表面を覆う金属製の板材である。ジョイントカバー１１の大きさによっては、カバー材１２をＹ方向に複数連設して使用してもよい。
【００２７】
仕上材１３は、図４等に示すように、カバー材１２の表面を覆うものである。本実施形態においてはシート状の仕上材１３を使用している。
【００２８】
先端部材１４は、ジョイントカバー１１の先端面１１ａ側に、Ｙ方向に通しで設けられる部材である。この先端部材１４は、カバー材１２の裏面にネジなどの固定具によって固定される。この先端部材１４の下面は、図１等に示すように、一方の躯体４１の平坦面４１ｂに接触しており、摺動可能に下方から支持されている。この先端部材１４は、平坦面４１ｂ及び傾斜面４１ｃの上を摺動可能となっている。
【００２９】
補強材１５は、図３に示すように、カバー材１２のＸ方向の長さとほぼ等しい長さの金属製の長尺材である。この補強材１５は、図５に示すように、カバー材１２の裏面に取り付けられ、下方に向けてリブ状に突出するようになっている。この補強材１５は、Ｙ方向に間隔を設けて複数固定される。この補強材１５の一端部は、図１に示すように、一方の躯体４１の平坦面４１ｂに載置される。また、この補強材１５の他端部は、図４に示すように、下地金具３１（後述）の上面に載置される。
【００３０】
レール材１６は、ジョイントカバー１１の後端面１１ｃ側において、カバー材１２の裏面に取り付けられる長尺の金属製部材である。このレール材１６は、長手方向がＹ方向となるように取り付けられ、ジョイントカバー１１の全長に渡って設けられる。このレール材１６の断面は、図４に示すように内側（一方の躯体４１側）に向けてコ字形に開口した形状となっており、後述する受レール部３２に係合可能となっている。
【００３１】
後端見切材１７は、ジョイントカバー１１の後端面１１ｃ側において、カバー材１２の端部に取り付けられる長尺の金属製部材である。本実施形態においては、図４に示すような断面逆Ｌ字形の部材を使用している。この後端見切材１７は、後述する滑動面３３ａに臨む垂直面を備える。この垂直面には、図４に示すように、ネジなどの固定具を使用して、硬質の樹脂製の滑動部材３４が取り付けられている。この滑動部材３４は、摩擦係数の高い金属同士の接触を防止して滑りを良くするとともに、変位時の緩衝材として働くものである。この滑動部材３４を取り付けた垂直面は、ジョイントカバー１１の後端面１１ｃであり、Ｘ方向に対して垂直となっている。なお、本実施形態においては、滑動部材３４を後端見切材１７の垂直面に取り付けているが、これに代えて、またはこれに加えて、滑動部材３４を滑動面３３ａに取り付けてもよい。
【００３２】
側部見切材１８は、ジョイントカバー１１の側面１１ｂにおいて、カバー材１２の端部に取り付けられる長尺の金属製部材である。本実施形態においては、図５に示すような断面逆Ｌ字形の部材を使用している。この側部見切材１８は、後述するスライド面２１ａに臨む垂直面を備える。この垂直面は、ジョイントカバー１１の側面１１ｂであり、Ｙ方向に対して垂直となっている。
【００３３】
Ｘ方向摺動支持手段２０は、図１及び図５に示すように、一方の躯体４１の側壁部４１ｄに取り付けられるスライド支持部２１を備える。スライド支持部２１は、ステンレス製の板状部材であり、側壁部４１ｄを保護するために設けられる。このスライド支持部２１は、側壁部４１ｄの下端付近に幅木状に取り付けられる。スライド支持部２１の取り付けには、ネジなどの固定具が使用される。
【００３４】
このスライド支持部２１は、一方の躯体４１をＸ方向に見たときに、平坦面４１ｂから床面４１ｅの途中までの範囲に延設されている。スライド支持部２１の下端縁は、平坦面４１ｂ、傾斜面４１ｃ、床面４１ｅの上面に沿うように形成されている。また、スライド支持部２１の表面は、Ｙ方向に対して垂直なスライド面２１ａを形成している。このスライド面２１ａは、図５（ｂ）及び（ｃ）等に示すように、Ｘ方向に延在している。このため、平坦面４１ｂ、傾斜面４１ｃ、床面４１ｅの上面に沿ってジョイントカバー１１がＸ方向に移動したときに、ジョイントカバー１１の側面１１ｂにスライド面２１ａが対向し、スライド面２１ａに沿ってジョイントカバー１１がスムーズに摺動するようになっている。
【００３５】
また、このスライド面２１ａには、図５（ｂ）に示すように、ネジなどの固定具を使用して、硬質の樹脂製の滑動部材３４が取り付けられている。この滑動部材３４は、摩擦係数の高い金属同士の接触を防止して滑りを良くするとともに、変位時の緩衝材として働くものである。なお、本実施形態においては、滑動部材３４をスライド面２１ａに取り付けているが、これに代えて、またはこれに加えて、滑動部材３４をジョイントカバー１１の側面１１ｂに取り付けてもよい。
【００３６】
Ｙ方向摺動支持手段３０は、図１、図２及び図４に示すように、下地金具３１と、受レール部３２と、滑動支持部３３と、を備える。
【００３７】
下地金具３１は、逆Ｌ字形に他方の躯体４２の壁面４２ａに取り付けられる金具である。この下地金具３１は、受レール部３２及びジョイントカバー１１を下方から支持するための長尺材である。この下地金具３１は、受レール部３２の全長を下方から支持できる長さで設けられており、他方の躯体４２の壁面４２ａにボルトなどの固定具を使用して取り付けられる。
【００３８】
受レール部３２は、上方に向けて開口した断面略Ｃ字形の金属製の長尺材である。この受レール部３２は、下地金具３１の上部にボルトなどの固定具を使用して取り付けられる。この受レール部３２は、図４に示すように、第１立ち上がり部３２ａと第２立ち上がり部３２ｃとが互いに平行に垂直上方に立ち上がり形成されている。なお、一方の躯体４１に近い方が第１立ち上がり部３２ａであり、一方の躯体４１に遠い方が第２立ち上がり部３２ｃである。第１立ち上がり部３２ａの先端は内方に屈折されて抜け止め部３２ｂを形成しており、第２立ち上がり部３２ｃの先端は内方に屈折されて支持固定部３２ｄを形成している。
【００３９】
第１立ち上がり部３２ａ及び抜け止め部３２ｂは、ジョイントカバー１１のレール材１６を引っ掛けて係合させるためのものである。図４（ａ）に示すように抜け止め部３２ｂにレール材１６を引っ掛けると、抜け止め部３２ｂの上面でレール材１６がＹ方向に摺動可能に支持されるとともに、ジョイントカバー１１が上方に移動しても、レール材１６が抜け止め部３２ｂから脱落しないように形成されている。
【００４０】
第２立ち上がり部３２ｃ及び支持固定部３２ｄは、滑動支持部３３を取り付けるための部位である。
【００４１】
滑動支持部３３は、断面略コ字形の金属製の長尺材である。この滑動支持部３３は、支持固定部３２ｄの上面にネジなどの固定具を使用して取り付けられる。
【００４２】
上記した受レール部３２と滑動支持部３３とは、ほぼ同じ長さとなっており、Ｙ方向に見てジョイントカバー１１よりも長く設定されている。これにより、ジョイントカバー１１のＹ方向への摺動を支持可能となっている。
【００４３】
また、滑動支持部３３は、Ｘ方向に対して垂直な滑動面３３ａを備えている。この滑動面３３ａはＹ方向に延在しているため、受レール部３２に沿ってジョイントカバー１１がＹ方向に移動したときに、ジョイントカバー１１の後端面１１ｃに滑動面３３ａが対向し、滑動面３３ａに沿ってジョイントカバー１１がスムーズに摺動するようになっている。
【００４４】
なお、この滑動支持部３３を受レール部３２に取り付けると、受レール部３２の上部開口が狭められる。これにより、受レール部３２に係合したジョイントカバー１１のレール材１６が脱落しないようになっている。このため、組み付け時には下記の手順でＹ方向摺動支持手段３０にジョイントカバー１１を取り付ける。
【００４５】
すなわち、図４（ｂ）に示すように、まず下地金具３１の上面に受レール部３２を取り付ける。次に、受レール部３２にジョイントカバー１１のレール材１６を係合させる。最後に、滑動支持部３３を受レール部３２に取り付ける。このように、滑動支持部３３を取り付けることによって受レール部３２の開口を狭めて、ジョイントカバー１１の脱落を防止している。また、滑動支持部３３によってジョイントカバー１１のガタつきが抑制されるので、スムーズにジョイントカバー１１を摺動させることができる。
【００４６】
上記したようなエキスパンションジョイントカバー装置１０によれば、ジョイントカバー１１がＸ方向にもＹ方向にも移動できるので、地震等による大きな変位が発生しても対応することができる。
【００４７】
すなわち、Ｘ方向への変位が発生した場合には、図６及び図７に示すように、一方の躯体４１の平坦面４１ｂ、傾斜面４１ｃ、床面４１ｅの上面に沿ってジョイントカバー１１が移動し、ジョイントカバー１１の側面１１ｂがＸ方向摺動支持手段２０によって支持されて、ジョイントカバー１１が摺動する。
【００４８】
具体的には、図６に示すように、２つの躯体の接近するような変位の場合には、ジョイントカバー１１の先端部材１４が傾斜面４１ｃに乗り上げるように誘導される。このとき、Ｙ方向に通しの先端部材１４を備えているので、Ｙ方向に間隔を設けている補強材１５の先端が傾斜面４１ｃに当たることがなく、スムーズに摺動できる。
【００４９】
また、図７に示すように、２つの躯体が離れるような変位の場合には、ジョイントカバー１１の先端部材１４が平坦面４１ｂに沿って間隙５０の方向へ摺動する。
また、Ｙ方向への変位が発生した場合には、図８及び図９に示すように、ジョイントカバー１１がＹ方向摺動支持手段３０に沿って摺動する。
【００５０】
以上説明したように、本実施形態によれば、一方の躯体４１側に取り付けられて、ジョイントカバー１１をＸ方向に移動可能に支持するＸ方向摺動支持手段２０と、他方の躯体４２側に取り付けられて、ジョイントカバー１１をＹ方向に移動可能に支持するＹ方向摺動支持手段３０と、を備えるので、Ｘ方向のみならず、Ｙ方向への変位にも対応することができる。よって、例えばジョイントカバー１１の両側に側壁部４１ｄがある場合にＹ方向への変位が発生した場合でも、ジョイントカバー１１が側壁部４１ｄに当たることを防止でき、側壁部４１ｄの破損を防止できる。
【００５１】
また、Ｙ方向摺動支持手段３０は、ジョイントカバー１１に係合する抜け止め部３２ｂを備えた受レール部３２と、ジョイントカバー１１の後端面１１ｃに対向する滑動支持部３３と、を備え、滑動支持部３３は、Ｘ方向に対して垂直な滑動面３３ａを備えるとともに、Ｙ方向に延在している。このような構成によれば、２つの躯体が相対的にＹ方向へと変位した場合でも、受レール部３２によってジョイントカバー１１の摺動をガイドすることができる。また、ジョイントカバー１１が高さ方向にガタついたとしても、ジョイントカバー１１の後端面１１ｃが必ず滑動面３３ａに対向するので、ジョイントカバー１１が滑動面３３ａの上を滑ってスムーズに摺動する。よって、ジョイントカバー１１の引っ掛かりが防止されてスムーズな摺動や部材の破損防止を実現でき、地震等による大きな変位にも対応することができる。
また、ジョイントカバー１１は、Ｙ方向に間隔を設けて固定された補強材１５を備えるので、Ｘ方向へジョイントカバー１１の強度が増す。
【００５２】
また、滑動面３３ａ、又は、滑動面３３ａに対向するジョイントカバー１１の後端面１１ｃに、樹脂製の滑動部材３４を取り付けたので、よりスムーズにジョイントカバー１１を摺動させることができる。
【００５３】
また、Ｘ方向摺動支持手段２０は、ジョイントカバー１１の側面１１ｂに対向するスライド支持部２１と、を備え、スライド支持部２１は、Ｙ方向に対して垂直なスライド面２１ａを備えるとともに、Ｘ方向に延在している。このような構成によれば、２つの躯体が相対的にＸ方向へと変位した場合でも、ジョイントカバー１１の摺動を安定的にガイドすることができる。また、ジョイントカバー１１が高さ方向に移動した場合でも、ジョイントカバー１１の側面１１ｂが必ずスライド面２１ａに対向するので、ジョイントカバー１１がスライド面２１ａの上を滑ってスムーズに摺動する。よって、ジョイントカバー１１の引っ掛かりが防止されてスムーズな摺動や部材の破損防止を実現でき、地震等による大きな変位にも対応することができる。
【００５４】
また、スライド面２１ａ、又は、スライド面２１ａに対向するジョイントカバー１１の側面１１ｂに、樹脂製の滑動部材３４を取り付けたので、よりスムーズにジョイントカバー１１を摺動させることができる。
【００５５】
なお、上記した実施形態においては、２つの床面４１ｅ，４２ｂの間にエキスパンションジョイントカバー装置１０を配置したが、これに限らず、例えば図１０に示すように、一方の躯体４１の床面４１ｅに他方の躯体４２の壁面４２ａが臨むような構造において、この一方の躯体４１の床面４１ｅと他方の躯体４２の壁面４２ａとの間にエキスパンションジョイントカバー装置１０を配置してもよい。
【００５６】
また、上記した実施形態においては、シート状の仕上材１３を使用する例について説明したが、これに限らず、例えば石やタイルを使用した仕上材１３でカバー材１２の表面を覆ってもよい。この場合、例えば図１１に示すように、カバー材１２の断面形状が上向きに開口したコ字形となるように形成し、このカバー材１２の内部に仕上材１３を配置してもよい。このように上向きコ字形のカバー材１２を使用する場合、側部見切材１８を省略して、カバー材１２の側面１１ｂがスライド面２１ａに臨むようにしてもよい。また、補強材１５を使用する場合には、カバー材１２の内部（上面）に補強材１５を取り付けてもよい。
【００５７】
また、図１２及び図１３に示すように、仕上材１３を使用しなくてもよい。例えば、カバー材１２に縞鋼板を使用し、カバー材１２が仕上材１３を兼ねるようにしてもよい。
【符号の説明】
【００５８】
１０  エキスパンションジョイントカバー装置
１１  ジョイントカバー
１１ａ  先端面
１１ｂ  側面
１１ｃ  後端面
１２  カバー材
１３  仕上材
１４  先端部材
１５  補強材
１６  レール材
１７  後端見切材
１８  側部見切材
２０  Ｘ方向摺動支持手段
２１  スライド支持部
２１ａ  スライド面
３０  Ｙ方向摺動支持手段
３１  下地金具
３２  受レール部
３２ａ  第１立ち上がり部
３２ｂ  抜け止め部
３２ｃ  第２立ち上がり部
３２ｄ  支持固定部
３３  滑動支持部
３３ａ  滑動面
３４  滑動部材
３５  止水シート
４１  一方の躯体
４１ａ  壁面
４１ｂ  平坦面
４１ｃ  傾斜面
４１ｄ  側壁部
４１ｅ  床面
４２  他方の躯体
４２ａ  壁面
４２ｂ  床面
５０  間隙
【図１】
0006595903.tif 000002
【図２】
0006595903.tif 000003
【図３】
0006595903.tif 000004
【図４】
0006595903.tif 000005
【図５】
0006595903.tif 000006
【図６】
0006595903.tif 000007
【図７】
0006595903.tif 000008
【図８】
0006595903.tif 000009
【図９】
0006595903.tif 000010
【図１０】
0006595903.tif 000011
【図１１】
0006595903.tif 000012
【図１２】
0006595903.tif 000013
【図１３】
0006595903.tif 000014